(57)【特許請求の範囲】
【請求項１】
移動通信放送システムにおける端末においてサービスガイドを受信する方法であって、
第１サービスガイドを受信する段階と、
前記第１サービスガイドから抽出したサービスフラグメントのうち少なくとも一つのサービスタイプがサービスガイドとして設定されている場合、前記第１サービスガイドの少なくとも一つのアクセスフラグメントから第２サービスガイドについての受信情報を取得する段階と、
前記取得された受信情報を用いて前記第２サービスガイドを受信する段階とを有し、
前記アクセスフラグメントは、前記サービスフラグメントと関連があることを特徴とするサービスガイド受信方法。
【請求項２】
前記第２サービスガイドについての受信情報は、前記第２サービスガイドが搬送される伝達セッションについての情報を含むことを特徴とする請求項１に記載のサービスガイド受信方法。
【請求項３】
前記第２サービスガイドを受信するための情報は、前記第２サービスガイドを提供する事業者情報と、前記第２サービスガイドと前記第１サービスガイドとの関係情報と、前記第２サービスガイドと前記第２サービスガイドのためのサービスガイド伝達ユニットとの関係情報とをさらに含むことを特徴とする請求項２に記載のサービスガイド受信方法。
【請求項４】
前記第１サービスガイドを受信する段階は、前記端末がアナウンスメントセッションに接続して、該アナウンスメントセッションからサービスガイド伝達ディスクリプタ（Ｓｅｒｖｉｃｅ Ｇｕｉｄｅ Ｄｅｌｉｖｅｒｙ Ｄｅｓｃｒｉｐｔｏｒ；ＳＧＤＤ）を受信する段階と、
前記サービスガイド伝達ディスクリプタを解釈することにより前記第１サービスガイドが搬送される伝達セッションについての情報を取得する段階と、
前記伝達セッションに接続し、前記第１サービスガイドのためのサービスガイド伝達ユニット（Ｓｅｒｖｉｃｅ Ｇｕｉｄｅ Ｄｅｌｉｖｅｒｙ Ｕｎｉｔ；ＳＧＤＵ）を受信する段階と、
前記受信したサービスガイド伝達ユニットから前記第１サービスガイドのフラグメントを抽出する段階と、
前記抽出したフラグメントを用いて前記第１サービスガイドを構成する段階と、
前記第１サービスガイドを表示する段階とを含むことを特徴とする請求項１に記載のサービスガイド受信方法。
【請求項５】
前記第２サービスガイドを受信する段階は、前記第２サービスガイドが搬送される伝達セッションに接続して前記第２サービスガイドのためのサービスガイド伝達ユニットを受信する段階と、
前記受信した第２サービスガイドのためのサービスガイド伝達ユニットから前記第２サービスガイドの複数のフラグメントを抽出する段階と、
前記抽出したフラグメントから前記第２サービスガイドを構成する段階と、
前記第２サービスガイドを表示する段階とを含むことを特徴とする請求項１に記載のサービスガイド受信方法。
【請求項６】
移動通信放送システムにおけるサービスガイドを端末に提供する方法であって、
第１サービスガイドと、少なくとも１つの第２サービスガイドを構成する段階と、
前記第１サービスガイドに含まれているサービスフラグメントのうち少なくとも一つのサービスタイプをサービスガイドとして設定し、
前記第２サービスガイドについての受信情報を前記第１サービスガイドの少なくとも一つのアクセスフラグメントに追加する段階と、
前記第２サービスガイドについての受信情報が含まれた第１サービスガイドを前記端末に送信する段階と、
前記第１サービスガイドに含まれた前記第２サービスガイドについての受信情報を用いて接続した端末に、前記第２サービスガイドを提供する段階とを有し、
前記アクセスフラグメントは、前記サービスフラグメントと関連があることを特徴とするサービスガイド提供方法。
【請求項７】
前記第２サービスガイドについての受信情報は、前記第２サービスガイドが搬送される伝達セッションについての情報を含むことを特徴とする請求項６に記載のサービスガイド提供方法。
【請求項８】
前記第２サービスガイドについての受信情報は、前記第２サービスガイドを提供する事業者情報と、前記第２サービスガイドと前記第１サービスガイドとの関係情報と、前記第２サービスガイドと前記第２サービスガイドのためのサービスガイド伝達ユニットとの関係情報とをさらに含むことを特徴とする請求項７に記載のサービスガイド提供方法。
【請求項９】
前記第１サービスガイドを送信する段階は、前記アナウンスメントセッションに接続した端末にサービスガイド伝達ディスクリプタを提供する段階と、
前記サービスガイド伝達ディスクリプタを解釈することにより前記第１サービスガイドが搬送される伝達セッションに接続した端末に、前記第１サービスガイドを構成するためのサービスガイド伝達ユニットを提供する段階とを含むことを特徴とする請求項６に記載のサービスガイド提供方法。
【請求項１０】
移動通信放送システムにおけるサービスガイドを受信する装置であって、
放送データを受信する放送データ受信部と、
前記放送データから第１サービスガイドと少なくとも１つの第２サービスガイドとを取得するサービスガイド受信部と、
前記第１サービスガイドを解釈し、前記第１サービスガイドから抽出したサービスフラグメントのうち少なくとも一つのサービスタイプがサービスガイドとして設定されていると、前記第１サービスガイドの少なくとも一つのアクセスフラグメントから前記第２サービスガイドについての受信情報を取得するサービスガイド解釈部と、
前記取得した第１サービスガイド又は第２サービスガイドの少なくともいずれか１つを表示するサービスガイド表示部とを有し、
前記アクセスフラグメントは、前記サービスフラグメントと関連があることを特徴とするサービスガイド受信装置。
【請求項１１】
前記第２サービスガイドについての受信情報は、前記第２サービスガイドが搬送される伝達セッション情報を含むことを特徴とする請求項１０に記載のサービスガイド受信装置。
【請求項１２】
前記第２サービスガイドについての受信情報は、前記第２サービスガイドを提供する事業者情報と、前記第２サービスガイドと前記第１サービスガイドとの関係情報と、前記第２サービスガイドと前記第２サービスガイドのためのサービスガイド伝達ユニットとの関係情報とをさらに含むことを特徴とする請求項１１に記載のサービスガイド受信装置。
【請求項１３】
前記サービスガイド受信部は、前記端末がアナウンスメントセッションに接続して該アナウンスメントセッションでサービスガイド伝達ディスクリプタを受信し、
前記サービスガイド解釈部は、前記サービスガイド伝達ディスクリプタを解釈して前記第１サービスガイドが搬送される伝達セッションについての情報を取得することを特徴とする請求項１０に記載のサービスガイド受信装置。
【請求項１４】
前記サービスガイド受信部は、伝達セッションに接続して前記第１サービスガイドのためのサービスガイド伝達ユニットを受信し、
前記サービスガイド解釈部は、前記受信されたサービスガイド伝達ユニットから前記第１サービスガイドの複数のフラグメントを抽出することを特徴とする請求項１３に記載のサービスガイド受信装置。
【請求項１５】
前記サービスガイド受信部は、前記第２サービスガイドが搬送される伝達セッションに接続して前記第２サービスガイドのためのサービスガイド伝達ユニットを受信し、
前記サービスガイド解釈部は、前記受信した第２サービスガイドのためのサービスガイド伝達ユニットから前記第２サービスガイドの複数のフラグメントを抽出することを特徴とする請求項１１に記載のサービスガイド受信装置。
【請求項１６】
移動通信放送システムにおけるサービスガイドを端末に提供する装置であって、
第１サービスガイドと少なくとも１つの第２サービスガイドを構成し、前記第１サービスガイドに含まれているサービスフラグメントのうち少なくとも一つのサービスタイプをサービスガイドとして設定し、前記第２サービスガイドについての受信情報を前記第１サービスガイドの少なくとも一つのアクセスフラグメントに追加するサービスガイド生成部と、
前記第２サービスガイドについての受信情報が含まれた第１サービスガイドを前記端末に送信し、前記第２サービスガイドについての受信情報を用いて接続した端末に、前記第２サービスガイドを提供するサービスガイド送信部とを有し、
前記アクセスフラグメントは、前記サービスフラグメントと関連があることを特徴とするサービスガイド提供装置。
【請求項１７】
前記第２サービスガイドについての受信情報は、前記第２サービスガイドが搬送される伝達セッションについての情報を含むことを特徴とする請求項１６に記載のサービスガイド提供装置。
【請求項１８】
前記第２サービスガイドについての受信情報は、前記第２サービスガイドを提供する事業者情報と、前記第２サービスガイドと前記第１サービスガイドとの関係情報と、前記第２サービスガイドと前記第２サービスガイドのためのサービスガイド伝達ユニットとの関係情報をさらに含むことを特徴とする請求項１７に記載のサービスガイド提供装置。
【請求項１９】
前記サービスガイド送信部は、前記アナウンスメントセッションに接続した端末にサービスガイド伝達ディスクリプタを提供し、
前記サービスガイド伝達ディスクリプタを解釈することにより前記第１サービスガイドが搬送される伝達セッションに接続した端末に、前記第１サービスガイドを構成するためのサービスガイド伝達ユニットを提供することを特徴とする請求項１６に記載のサービスガイド提供装置。
【発明の詳細な説明】
【技術分野】
【０００１】
本発明は、放送サービス（Ｂｒｏａｄｃａｓｔ  Ｓｅｒｖｉｃｅ；以下、ＢＣＡＳＴ）をサポートする移動通信放送システムに関し、特に移動体通信放送システムにおける基本サービスガイドを通じて他のサービスガイドを受信する方法及び提供する方法並びにそれらの装置に関する。
【背景技術】
【０００２】
移動通信市場は、既存の技術の再組み合わせや統合により新たなサービスの生産を継続的に求められており、今日、通信及び放送技術の発達に伴い、従来の放送システム又は移動通信システムにおいて、携帯電話、ＰＤＡ（Ｐｅｒｓｏｎａｌ  Ｄｉｇｉｔａｌ  Ａｓｓｉｓｔａｎｔ）等、携帯端末機（以下、移動端末）を通じて放送サービスを提供する段階にある。
【０００３】
このような潜在的で、かつ実際的な市場需要とマルチメディアサービスに対して急増するユーザの要求、既存の音声サービスの他に放送サービスなど新たなサービスを提供しようとする事業者の戦略、そして顧客の要求を受容して移動通信事業を強化しているＩＴ企業の利害関係が噛み合って移動通信サービスとＩＰ（Ｉｎｔｅｒｎｅｔ  Ｐｒｏｔｏｃｏｌ）との融合は、次世代の移動通信技術開発の大きい流れとして位置を占めている。
【０００４】
これは、移動通信市場だけでなく、一般の有線通信市場でも無線又は放送などに存在する多様なサービスを導入及び適用させることに至って、このような全方位的な融合は、有線放送、無線放送などにかかわらず、多様なサービスに対して同一の顧客環境を形成するようになった。
【０００５】
一方、オープンモバイルアライアンス（Ｏｐｅｎ  Ｍｏｂｉｌｅ  Ａｌｌｉａｎｃｅ；以下、ＯＭＡ）は、個別モバイルソリューションの相互連動のための標準化を仕事とする団体であって、移動通信用ゲーム、インターネットサービスなどに対する多様なアプリケーション標準を定める役目を主として担当している。
【０００６】
特に、ＯＭＡのワーキンググループのうち、ＯＭＡ  ＢＣＡＳＴ（Ｍｏｂｉｌｅ  Ｂｒｏａｄｃａｓｔ  Ｗｏｒｋｉｎｇ  Ｇｒｏｕｐ）では、移動端末を用いて放送サービスを提供する技術標準を研究している。即ち、ＯＭＡ  ＢＣＡＳＴは、サービスガイド、ダウンロード及びストリーミング送信技術、サービス及びコンテンツ保護技術、サービス加入、ローミングなど、携帯端末環境でＩＰ基盤の放送サービスを提供するための技術を標準化している。
【０００７】
上述した有線−無線通信環境の融合による統合サービス提供のための市場の流れに従って、ＯＭＡ  ＢＣＡＳＴ等の携帯放送技術もモバイル環境を越えて有線−無線統合環境でサービスが提供できるように進化すべきである。
【０００８】
図１は、標準となる従来の移動通信放送システムにおける端末機にサービスガイドを送信する構成例を示すブロック図である。
図１には、構成エレメント（論理個体）間のインターフェースが示されており、以下に示す表１と表２は図１に使用されるインターフェースを説明したものである。
【０００９】
【表１】
0005392733.tif 000002
【００１０】
【表２】
0005392733.tif 000003
【００１１】
図１を参照すると、コンテンツ供給者（Ｃｏｎｔｅｎｔ  Ｃｒｅａｔｉｏｎ）１０１は放送サービス（以下、ＢＣＡＳＴサービス）の供給者であり、上記ＢＣＡＳＴサービスは従来の音声／画像放送サービス、音楽ファイル、又はデータファイルのファイルダウンロードサービスなどを行い得る。
【００１２】
コンテンツ供給者１０１は、サービスガイドコンテンツ供給ソース（Ｓｅｒｖｉｃｅ  Ｇｕｉｄｅ  Ｃｏｎｔｅｎｔ  Ｃｒｅａｔｉｏｎ  Ｓｏｕｒｃｅ；以下、ＳＧＣＣＳ）１０２を用いてＢＣＡＳＴサービスのサービスガイド構成のために必要とされるコンテンツ情報、移動端末の性能情報、ユーザプロファイル、コンテンツ時間情報などを、上記表１のＳＧ１インターフェース１０３を介してＢＣＡＳＴサービスアプリケーション１０４のサービスガイドアプリケーションソース（Ｓｅｒｖｉｃｅ  Ｇｕｉｄｅ  Ａｐｐｌｉｃａｔｉｏｎ  Ｓｏｕｒｃｅ；以下、ＳＧＡＳ）１０５に伝達する。
【００１３】
ＢＣＡＳＴサービスアプリケーション１０４は、コンテンツ供給者１０１からＢＣＡＳＴサービスのためのデータの供給を受けて、ＢＣＡＳＴネットワークに適した形態に加工してＢＣＡＳＴサービスデータを作る役目をする。また、ＢＣＡＳＴサービスアプリケーション１０４は、移動通信放送案内に必要な標準化されたメタデータを生成する役目を担当する。
【００１４】
ＳＧＡＳ１０５は、ＳＧＣＣＳ１０２から伝達を受けた情報と共にサービス及びコンテンツ詳細情報、スケジュール情報、位置情報など、サービスガイドの構成に必要な各種ソースをインターフェースＳＧ２（１０６）を介して後述するＢＣＡＳＴサービス分配／適応（Ｄｉｓｔｒｉｂｕｔｉｏｎ／Ａｄａｐｔａｔｉｏｎ）部１０８のサービスガイド生成（Ｓｅｒｖｉｃｅ  Ｇｕｉｄｅ  Ｇｅｎｅｒａｔｉｏｎ；以下、ＳＧ−Ｇ）部１０９に伝達する。
【００１５】
ＢＣＡＳＴサービス分配／適応部１０８は、ＢＣＡＳＴサービスアプリケーション１０４から供給を受けたＢＣＡＳＴサービスデータを配送するベアラー（ｂｅａｒｅｒ）を設定する役目、ＢＣＡＳＴサービスの送信スケジュールを決定する役目、そして移動通信放送案内情報を生成する役目を担当する。ＢＣＡＳＴサービス分配／適応部１０８は、ＢＣＡＳＴサービスデータを送信するネットワークである放送分配システム（Ｂｒｏａｄｃａｓｔ  Ｄｉｓｔｒｉｂｕｔｉｏｎ  Ｓｙｓｔｅｍ；以下、ＢＤＳ）１２２及び双方向通信をサポートする双方向ネットワーク１２３と連結される。
【００１６】
ＳＧ−Ｇ  １０９で生成されたサービスガイドは、サービスガイド分配（ＳＧ  Ｄｉｓｔｒｉｂｕｔｉｏｎ；以下、ＳＧ−Ｄ）部１１０とＳＧ−５インターフェース１１７を介して移動通信端末（Ｔｅｒｍｉｎａｌ）１１９に提供される。仮に、ＢＤＳ１２２又は双方向通信をサポートする双方向ネットワーク１２３を介してサービスガイドを提供するか、または該当システム又はネットワークと関連して整合が必要な場合には、ＳＧ−Ｇ  １０９で生成されたサービスガイドは、サービスガイド適応（ＳＧ  Ａｄａｐｔａｔｉｏｎ；以下、ＳＧ−Ａ）部１１１で整合されてＳＧ−Ｄ  １１０に提供されるか、ＳＧ−Ｂ１インターフェース１１６を介して後述するＢＳＣサービス分配（ＢＤＳ  Ｓｅｒｖｉｃｅ  Ｄｉｓｔｒｉｂｕｔｉｏｎ）部１２１に提供される。
【００１７】
ＢＣＡＳＴ加入管理（ＢＣＡＳＴ  Ｓｕｂｓｃｒｉｐｔｉｏｎ  Ｍａｎａｇｅｍｅｎｔ）部１１３は、ＢＣＡＳＴサービスの受信のための加入情報と、サービス提供情報及びＢＣＡＳＴサービスを受信する移動通信端末に対する装置情報と、を管理する。
ＢＣＡＳＴ加入管理部１１３のサービスガイド加入ソース（Ｓｅｒｖｉｃｅ  Ｇｕｉｄｅ  Ｓｕｂｓｃｒｉｐｔｉｏｎ  Ｓｏｕｒｃｅ；以下、ＳＧＳＳ）１１４は、サービスガイドの生成と関連した加入関連情報、供給関連情報、及び購買情報、広報関連情報などのソースをＳＧ４インターフェース１１２を介してサービスガイドを生成する上記ＳＧ−Ｇ  １０９に伝達する。
【００１８】
ＢＤＳサービス分配部１２１は、全ての受信されたＢＣＡＳＴサービスを放送チャンネル（Ｂｒｏａｄｃａｓｔ  ｃｈａｎｎｅｌ）又は双方向チャンネル（ｉｎｔｅｒａｃｔｉｏｎ  ｃｈａｎｎｅｌ）を介して分配する役目を遂行する。ＢＤＳサービス分配部１２１は、ＢＤＳ１２２の種類によって存在することも、存在しないこともできる構成要素である。
【００１９】
ＢＤＳ１２２は、ＢＣＡＳＴサービスを配送するネットワークであり、例えばＤＶＢ−Ｈ（Ｄｉｇｉｔａｌ  Ｖｉｄｅｏ  Ｂｒｏａｄｃａｓｔｉｎｇ−Ｈａｎｄｈｅｌｄ）、３ＧＰＰのＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）、３ＧＰＰ２（３ｒｄ  Ｇｅｎｅｒａｔｉｏｎ  Ｐａｒｔｎｅｒｓｈｉｐ  Ｐｒｏｊｅｃｔ  ２）のＢＣＭＣＳ（Ｂｒｏａｄｃａｓｔ  Ｍｕｌｔｉｃａｓｔ  Ｓｅｒｖｉｃｅ）などの放送ネットワークである。双方向ネットワーク１２３は、一対一でＢＣＡＳＴサービスを伝送するか、又はＢＣＡＳＴサービス受信に関連した制御情報及び付加情報を双方向に交換する役目をし、例えば既存のセルラーネットワークでありうる。
【００２０】
図１で、移動通信端末１１９はＢＣＡＳＴサービスを受信することができる端末機であり、端末機の性能に従ってセルラーネットワークと接続できる機能を有する。移動通信端末１１９は、サービスガイドクライアント（Ｓｅｒｖｉｃｅ  Ｇｕｉｄｅ  Ｃｌｉｅｎｔ；以下、ＳＧ−Ｃ）を備えてＳＧ５インターフェース１１７を介して送信されるサービスガイドを受信するか、ＳＧ６インターフェース１１８を介して送信される通知メッセージを受信してＢＣＡＳＴサービス受信のための適切な動作を遂行する。
【００２１】
以下に示す、表３〜表５は、図１に示す主要構成要素（論理個体）の機能を要約し、ＯＭＡ  ＢＣＡＳＴサービスの標準として定義したものである。
【００２２】
【表３】
0005392733.tif 000004
【００２３】
【表４】
0005392733.tif 000005
【００２４】
【表５】
0005392733.tif 000006
【００２５】
図２は、標準となる従来のＯＭＡ  ＢＣＡＳＴ内でサービスガイド（Ｓｅｒｖｉｃｅ  Ｇｕｉｄｅ）生成のためのサービスガイドに対するデータモデル（Ｄａｔａ  Ｍｏｄｅｌ）を示す図である。図２で、各フラグメントを連結する実線は各フラグメントの間の相互参照を意味する。
【００２６】
図２を参照すると、サービスガイドデータ（Ｓｅｒｖｉｃｅ  Ｇｕｉｄｅ  Ｄａｔａ）モデルは、全サービスガイドの上位構成情報を提供する管理（Ａｄｍｉｎｉｓｔｒａｔｉｖｅ）グループ２００、サービス、コンテンツ、スケジュールなどのサービスガイドの核心情報を提供する核心（Ｃｏｒｅ）グループ２２０、サービスまたはコンテンツに接続できるように接続情報を提供するアクセス（Ａｃｃｅｓｓ）グループ２３０、及び加入及び購買情報を提供する供給（Ｐｒｏｖｉｓｉｏｎｉｎｇ）グループ２１０から構成される。
【００２７】
管理グループ２００は、サービスガイド伝達ディスクリプタ（Ｓｅｒｖｉｃｅ  Ｇｕｉｄｅ  ｄｅｌｉｖｅｒｙ  Ｄｅｓｃｒｉｐｔｏｒ）２０１を含み、供給グループ２１０は、購入アイテム（Ｐｕｒｃｈａｓｅ  Ｉｔｅｍ）２１１、購入データ（Ｐｕｒｃｈａｓｅ  Ｄａｔａ）２１２、及び購入チャンネル（Ｐｕｒｃｈａｓｅ  Ｃｈａｎｎｅｌ）２１３を含んで構成される。
【００２８】
核心グループ２２０は、サービス（Ｓｅｒｖｉｃｅ）２２１、スケジュール（Ｓｃｈｅｄｕｌｅ）２２２、及びコンテンツ（Ｃｏｎｔｅｎｔ）２２３を含んで構成され、アクセスグループ２３０は、アクセス（Ａｃｃｅｓｓ）２３１、及びセッション解釈（Ｓｅｓｓｉｏｎ  Ｄｅｓｃｒｉｐｔｉｏｎ）２３２を含んで構成される。
【００２９】
その他、サービスガイド情報は、図２に示すように、上述した４個のグループ（２００、２１０、２２０、２３０）の以外に、プリビューデータ（Ｐｒｅｖｉｅｗ  Ｄａｔａ）２４１及び相互データ（Ｉｎｔｅｒａｃｔｉｖｉｔｙ  Ｄａｔａ）２５１をさらに含むことができる。上述した各構成を、サービスガイドを構成する最小単位であるフラグメント（Ｆｒａｇｍｅｎｔ）と呼ぶ。
【００３０】
上述した各構成要素をフラグメントとして見ると、サービスガイド伝達ディスクリプタ（Ｓｅｒｖｉｃｅ  Ｇｕｉｄｅ  Ｄｅｌｉｖｅｒｙ  Ｄｅｓｃｒｉｐｔｏｒ）フラグメント２０１は、サービスガイドを構成するフラグメントを含んでいるサービスガイド伝達ユニット（Ｓｅｒｖｉｃｅ  Ｇｕｉｄｅ  Ｄｅｌｉｖｅｒｙ  Ｕｎｉｔ；ＳＧＤＵ）が搬送される伝達セッションの情報を提供し、ＳＧＤＵに対するグルーピング（Ｇｒｏｕｐｉｎｇ）情報、及び通知（Ｎｏｔｉｆｉｃａｔｉｏｎ）メッセージを受信するためのエントリーポイント（Ｅｎｔｒｙ  Ｐｏｉｎｔ）を提供する。
【００３１】
サービス（Ｓｅｒｖｉｃｅ）フラグメント２２１は、全サービスガイドの核心部分である放送サービスに含まれるコンテンツ（Ｃｏｎｔｅｎｔ）の上位集合体であって、サービスコンテンツ、ジャンル、サービス地域などの情報を提供する。
スケジュール（Ｓｃｈｅｄｕｌｅ）フラグメント２２２は、ストリーミング（Ｓｔｒｅａｍｉｎｇ）、ダウンローディング（Ｄｏｗｎｌｏａｄｉｎｇ）等、サービスに含まれるコンテンツ各々の時間情報を提供する。
【００３２】
コンテンツ（Ｃｏｎｔｅｎｔ）フラグメント２２３は、放送されるコンテンツに対する詳細説明、ターゲットユーザグループ、サービス地域、及びジャンルなどの情報を提供する。
アクセス（Ａｃｃｅｓｓ）フラグメント２３１は、サービスを見ることができるように、接続と関連した情報を提供し、該当接続セッションに対する配送方法、セッション情報などを提供する。
【００３３】
セッション解釈（Ｓｅｓｓｉｏｎ  Ｄｅｓｃｒｉｐｔｉｏｎ）フラグメント２３２は、アクセスフラグメント（Ａｃｃｅｓｓ）２３１に含まれることもでき、端末機が該当セッション解釈フラグメント２３２を検出できるように、セッション解釈フラグメント２３２の位置についての情報はＵＲＩ（Ｕｎｉｆｏｒｍ  Ｒｅｓｏｕｒｃｅ  Ｉｄｅｎｔｉｆｉｅｒ）形態で提供される。
また、セッション解釈フラグメント２３２は、該当セッションに存在するマルチメディアコンテンツに対するアドレス情報、コーデック（ＣＯＤＥＣ）情報などを提供する。
【００３４】
購入アイテム（Ｐｕｒｃｈａｓｅ  Ｉｔｅｍ）フラグメント２１１は、ユーザがサービスの購入、サービスのバンドル（Ｂｕｎｄｌｅ）、又はその承認ができるように、１つ以上のマルチプルサービスやアイテムのスケジュールがいっしょにグループ化される。
購入データ（Ｐｕｒｃｈａｓｅ  Ｄａｔａ）フラグメント２１２は、価格情報、プロモーション情報などのサービスあるいはサービスバンドルについての購入及び加入情報を含む。
【００３５】
購入チャンネル（Ｐｕｒｃｈａｓｅ  Ｃｈａｎｎｅｌ）フラグメント２１３は、サービスあるいはサービスバンドルの加入あるいは購買のための接続情報を提供する。
サービスガイド伝達ディスクリプタフラグメント２０１は、サービスガイド受信のためのエントリーポイント（Ｅｎｔｒｙ  Ｐｏｉｎｔ）を示唆し、フラグメントのコンテナ（Ｃｏｎｔａｉｎｅｒ）であるＳＧＤＵに対するグルーピング情報（Ｇｒｏｕｐｉｎｇ  Ｉｎｆｏｒｍａｔｉｏｎ）を提供する。
【００３６】
また、プリビューデータ（Ｐｒｅｖｉｅｗ  Ｄａｔａ）フラグメント２４１は、サービス、スケジュール、及びコンテンツに対するプリビュー情報を提供し、相互データ（Ｉｎｔｅｒａｃｔｉｖｉｔｙ  Ｄａｔａ）フラグメント２５１は、該当サービス、スケジュール、及びコンテンツに従って、放送中の双方向サービスを提供する。サービスガイドに対する具体的な情報は、図２の上位データモデルに基づいて、提供されるコンテンツ及び価値に対しての多様なエレメント値（Ｅｌｅｍｅｎｔ）及び属性（Ａｔｔｒｉｂｕｔｅ）値を通じて定義できる。
【００３７】
便宜上、サービスガイドの各々のフラグメントに対する詳細なエレメント値及び属性値は、ここでは含めなかったが、上記詳細なエレメント値及び属性値は本発明では制約されず、本発明では、移動通信放送サービスのためのサービスガイド提供において、必要により定義された全てのエレメント値及び属性値を全て適用できる。
【００３８】
ところが、上記データモデルに従ってＳＧ−Ｇ  １０９でサービスガイドを生成した後、各フラグメントをＳＧ−Ｄ  １１０とユーザ端末であるＳＧ−Ｃ  １２０を通じて提供する段階において、事業者が提供するサービスとコンテンツの量が多くなるほど、提供しなければならない情報が多くなり、これによって、サービスガイドのフラグメントのサイズ及び個数が著しく増加してきている。したがって、端末で全フラグメントを受信し、サービスガイドを組み合せてディスプレイするに当たってオーバーヘッドが生じることがあるという問題がある。
【発明の概要】
【発明が解決しようとする課題】
【００３９】
本発明は、上記のような問題点を解決するために案出されたものであって、本発明の好適な実施形態の態様は、移動通信放送システムにおけるサービスガイドを提供するに当たって、効率的なサービスの伝達のために最小限の基本サービスガイドを優先的に配布し、基本サービスガイドを通じて基本サービスガイドに対する追加情報あるいは別の他のサービスガイドを受信することができる方法及び装置を提供することにある。
【課題を解決するための手段】
【００４０】
上記目的を達成するためになされた本発明の好適な一実施形態の態様に係るサービスガイド受信方法は、移動通信放送システムにおける端末においてサービスガイドを受信する方法であって、第１サービスガイドを受信する段階と、前記第１サービスガイドから抽出したサービスフラグメントのうち少なくとも一つのサービスタイプがサービスガイドとして設定されている場合、前記第１サービスガイドの少なくとも一つのアクセスフラグメントから第２サービスガイドについての受信情報を取得する段階と、  前記取得された受信情報を用いて前記第２サービスガイドを受信する段階とを有し、前記アクセスフラグメントは、前記サービスフラグメントと関連があることを特徴とする。
【００４１】
上記目的を達成するためになされた本発明の好適な一実施形態の態様に係るサービスガイド提供方法は、移動通信放送システムにおけるサービスガイドを端末に提供する方法であって、第１サービスガイドと、少なくとも１つの第２サービスガイドを構成する段階と、前記第１サービスガイドに含まれているサービスフラグメントのうち少なくとも一つのサービスタイプをサービスガイドとして設定し、前記第２サービスガイドについての受信情報を前記第１サービスガイドの少なくとも一つのアクセスフラグメントに追加する段階と、前記第２サービスガイドについての受信情報が含まれた第１サービスガイドを前記端末に送信する段階と、前記第１サービスガイドに含まれた前記第２サービスガイドについての受信情報を用いて接続した端末に、前記第２サービスガイドを提供する段階とを有し、前記アクセスフラグメントは、前記サービスフラグメントと関連があることを特徴とする。
【００４２】
上記目的を達成するためになされた本発明の好適な一実施形態の態様に係るサービスガイド受信装置は、移動通信放送システムにおけるサービスガイドを受信する装置であって、放送データを受信する放送データ受信部と、前記放送データから第１サービスガイドと少なくとも１つの第２サービスガイドとを取得するサービスガイド受信部と、前記第１サービスガイドを解釈し、前記第１サービスガイドから抽出したサービスフラグメントのうち少なくとも一つのサービスタイプがサービスガイドとして設定されていると、前記第１サービスガイドの少なくとも一つのアクセスフラグメントから前記第２サービスガイドについての受信情報を取得するサービスガイド解釈部と、前記取得した第１サービスガイド又は第２サービスガイドの少なくともいずれか１つを表示するサービスガイド表示部とを有し、
前記アクセスフラグメントは、前記サービスフラグメントと関連があることを特徴とする。
【００４３】
上記目的を達成するためになされた本発明の好適な一実施形態の態様に係るサービスガイド提供装置は、移動通信放送システムにおけるサービスガイドを端末に提供する装置であって、第１サービスガイドと少なくとも１つの第２サービスガイドを構成し、前記第１サービスガイドに含まれているサービスフラグメントのうち少なくとも一つのサービスタイプをサービスガイドとして設定し、前記第２サービスガイドについての受信情報を前記第１サービスガイドの少なくとも一つのアクセスフラグメントに追加するサービスガイド生成部と、前記第２サービスガイドについての受信情報が含まれた第１サービスガイドを前記端末に送信し、前記第２サービスガイドについての受信情報を用いて接続した端末に、前記第２サービスガイドを提供するサービスガイド送信部とを有し、前記アクセスフラグメントは、前記サービスフラグメントと関連があることを特徴とする。
【発明の効果】
【００４４】
本発明に係る移動通信放送システムにおけるサービスガイド提供方法及び装置によれば、基本サービスに対するサービスガイドを通じて更に他のサービスに対するサービスガイドを提供することで、容量の大きいサービスガイドを基本サービスガイドと基本サービスに対する追加詳細情報、あるいは独立的なサービスガイドに分離配布できるので、サービスガイドを効率的に送信できるという効果がある。また、基本サービスガイドを先に送信することによって、初期サービスガイドの受信時間を節約してユーザにもっと迅速に情報を提供することができるという効果がある。
【図面の簡単な説明】
【００４５】
【図１】従来のＯＭＡ  ＢＣＡＳＴでサービスガイド機能の論理構造を示す図である。
【図２】従来のＯＭＡ  ＢＣＡＳＴでサービスガイドのデータモデルである。
【図３】本発明の実施形態に係る基本サービスガイドを通じたサービスガイド受信方法の例示図である。
【図４】本発明の実施形態に係る基本サービスガイドを通じたサービスガイド受信手続を説明するためのフローチャートである。
【図５】ＯＭＡ  ＢＣＡＳＴのサービスガイドデータモデルのうち、サービスフラグメントに提供される詳細情報の例示図である。
【図６】ＯＭＡ  ＢＣＡＳＴのサービスガイドデータモデルのうち、アクセスフラグメントに提供される詳細情報の例示図である。
【図７】本発明の実施形態に係るシステム及び端末のブロック図である。
【発明を実施するための形態】
【００４６】
次に、本発明に係る移動通信放送システムにおけるサービスガイド提供方法及び装置を実施するための形態の具体例を図面を参照しながら説明する。
【００４７】
本発明を説明するに当たって、関連した公知機能あるいは構成に対する具体的な説明が本発明の要旨を曖昧にすると判断される場合、その詳細な説明は省略する。そして、後述する用語は本発明の機能を考慮して定義された用語であって、これは、ユーザ、運用者の意図、または慣例などによって変わることができる。したがって、その定義は本明細書全般に亘る内容に基づいて下されるべきである。
【００４８】
後述する本発明の詳細な説明には、前述した技術的課題をなすための本発明において、代表的な実施形態を提示する。また、本発明の説明の便宜のために、非同期移動通信標準である３ＧＰＰ（３ｒｄ  Ｇｅｎｅｒａｔｉｏｎ  Ｐａｒｔｎｅｒｓｈｉｐ  Ｐｒｏｊｅｃｔ）あるいは移動端末のアプリケーションの標準機構であるＯＭＡ  ＢＣＡＳＴで定義している個体の名称を同様に使用するが、このような標準及び名称が本発明の範囲を限定するものではなく、類似の技術的背景を有するシステムにも本発明が適用できる。
【００４９】
本発明を説明する前に、理解を助けるために、本発明で使われるメッセージスキマテーブルについて以下の表６を参照して説明する。
【表６】
0005392733.tif 000007
【００５０】
表６で、名称（Ｎａｍｅ）は、該当メッセージを構成するエレメント値と属性値に対する名称を表す。
タイプ（Ｔｙｐｅ）は、該当名称がエレメント値又は属性値のうち、どんな形態であるかを意味する。
【００５１】
もし、実体がエレメント値ならば、エレメント値は「Ｅ１」、「Ｅ２」、「Ｅ３」、「Ｅ４」のような値を有し、Ｅ１は全メッセージに対する上位エレメント値を意味し、Ｅ２はＥ１の下位エレメント値、Ｅ３はＥ２の下位エレメント値、Ｅ４はＥ３の下位エレメント値を表す。
もし、実体が属性値ならばタイプは「Ａ」で表示する。例えば、Ｅ１の下の「Ａ」は「Ｅ１」の属性値を表す。
範疇（Ｃａｔｅｇｏｒｙ）は、該当エレメント値あるいは属性値が必須内容か否かを区分するために使用され、必須の場合は「Ｍ」値を、オプションの場合は「Ｏ」値を有する。
【００５２】
カーディナリティ（Ｃａｒｄｉｎａｌｉｔｙ）は、エレメント同士間の関係を表し、「０」、「０．．１」、「１」、「０．．ｎ」、「１．．ｎ」の値を有する。「０」はオプションを意味し、「１」は必須関係を意味し、「ｎ」は複数の値を有することができることを意味する。例として、「０．．ｎ」は該当エレメント値がないか、又は、ｎ個の値を有することを意味する。
説明（Ｄｅｓｃｒｉｐｔｉｏｎ）は、該当エレメント又は属性値が意味するところを記述し、データ型（Ｄａｔａ  Ｔｙｐｅ）は該当エレメント値又は属性値に対するデータ構造を定義する。
【００５３】
図３は、本発明の実施形態に係るサービスガイドを受信する方法及び基本サービスガイドを通じて他のサービスガイドを提供する方法の例示図である。
【００５４】
図３を参照すると、移動通信放送システムにおいて、端末機（図示せず）のＳＧ−Ｃ  １２０（図１参照）はアナウンスメントセッション（Ａｎｎｏｕｎｃｅｍｅｎｔ  Ｓｅｓｓｉｏｎ）３０１に接続して該当セッションから伝えられるサービスガイド伝達ディスクリプタ（Ｓｅｒｖｉｃｅ  Ｇｕｉｄｅ  Ｄｅｌｉｖｅｒｙ  Ｄｅｓｃｒｉｐｔｏｒ；以下、ＳＧＤＤ）３１０を受信する。
【００５５】
ＳＧＤＤ３１０は、前述したように、サービスガイド伝達ユニット（Ｓｅｒｖｉｃｅ  Ｇｕｉｄｅ  Ｄｅｌｉｖｅｒｙ  Ｕｎｉｔ；ＳＧＤＵ）リスト及びＳＧＤＵが伝えられる伝達セッションに関する情報を含んでいる。図３では、ＳＧＤＤ３１０が基本サービスガイドに対するフラグメントを含んでいるＳＧＤＵリストと、該当ＳＧＤＵが搬送される伝達セッションＸ（Ｄｅｌｉｖｅｒｙ  Ｓｅｓｓｉｏｎ  Ｘ）３０２に対する情報を含んでいる。
【００５６】
端末は、ＳＧＤＤ３１０の情報を解釈し、伝達セッションＸ３０２に接続して基本サービスガイドのためのサービスガイド伝達ユニット（ＳＧＤＵ）３１１を受信し、受信したＳＧＤＵ３１１から基本サービスガイドに対するフラグメントを抽出し、最終的に基本サービスガイド３２０を画面に表示して、ユーザが該当情報を見ることができるようにする。
【００５７】
基本サービスガイド３２０には該当サービスと関連した追加情報を含むことができ、また、基本サービスガイド３２０を通じて他のサービス事業者のサービスガイドに対する接続方法を提供することができる。
【００５８】
図３で、端末は基本サービスガイド３２０を通じて第１サービスガイド３２１と第２サービスガイド３２２に対する受信情報を確認することができ、該当受信情報は第１サービスガイド３２１に対するＳＧＤＵ３１２を搬送する伝達セッションＹ３０３に対する情報及び第２サービスガイド３２２に対するＳＧＤＵ３１３を搬送する伝達セッションＺ３０４に対する情報を含む。
【００５９】
端末は、伝達セッションＹ３０３又は伝達セッションＺ３０４に接続して第１サービスガイド３２１のためのＳＧＤＵ３１２又は第２サービスガイド３２２のためのＳＧＤＵ３１３を受信した後、第１サービスガイド３２１又は第２サービスガイド３２２をユーザに見せることができる。
【００６０】
図４は、本発明の実施形態に従って端末がサービスガイドを受信する方法に対する詳細手続を説明するためのフローチャートである。
図４を参照すると、端末はサービスガイド受信のために、まず、ステップＳ４０１で、アナウンスメントセッションに接続して該当セッションから伝えられるＳＧＤＤを受信する。
【００６１】
次に、ステップＳ４０２で、端末は受信したＳＧＤＤを解釈してサービスガイドの生成に必要なフラグメントが伝えられるセッション情報及びＳＧＤＵを検出する。
次に、ステップＳ４０３で、端末はＳＧＤＤによって示される全てのＳＧＤＵを該当伝達セッションから受信する。
【００６２】
次に、ステップＳ４０４で、端末は伝達セッションから受信したＳＧＤＵからフラグメントを抽出し、抽出されたフラグメントを解釈してサービスガイドを構成する。
次に、ステップＳ４０５で、構成されたサービスガイドからサービスフラグメントリストをチェックする。
図５は、サービスフラグメントに対する上位属性値とエレメント値を図式化したものである。
【００６３】
次に、ステップＳ４０６で、端末はサービスフラグメントリストにあるサービスフラグメントを解釈して、サービスガイド値であるＳｅｒｖｉｃｅＴｙｐｅ５０１（図５参照）情報が含まれているかどうかを判断する。
サービスガイド値が含まれていなければ、該当サービスガイド内には更なる他のサービスガイドを提供するための情報がなく、受信したサービスガイドがサービス事業者から提供を受けた情報の全部であると考えることができ、この場合にはステップＳ４０７に進行して、端末は該当サービスガイドをユーザに表示することができる。
【００６４】
一方、サービスガイド値を有するＳｅｒｖｉｃｅＴｙｐｅ５０１が含まれていれば、これは該当サービスガイド内に更なる他のサービスガイドに対する受信及び接続のための情報が含まれていることを意味する。したがって、この場合にはステップＳ４０８で、ＳｅｒｖｉｃｅＴｙｐｅ５０１がサービスガイドであるサービスフラグメントと関連した全てのアクセスフラグメントを検出する。
図６は、アクセスフラグメントに対する上位属性値とエレメント値を図式化したものである。
【００６５】
次に、ステップＳ４０９で、端末は、検出された全てのアクセスフラグメントを解析して、該当アクセスフラグメントでＳｅｒｖｉｃｅＣｌａｓｓ６０１に該当する値を決定する。
その結果、ＳｅｒｖｉｃｅＣｌａｓｓ６０１に該当する値が‘ｕｒｎ：ｏｍａ：ｏｍａ＿ｂｓｃ：ｓｇ：１．０’であれば、これは該当アクセスフラグメント内に含まれている接続情報に該当する伝達セッション内に独立的なスタンドアローンサービスガイド（ｓｔａｎｄ  ａｌｏｎｅ  ＳＧ）があることを意味し、‘ｕｒｎ：ｏｍａ：ｏｍａ＿ｂｓｃ：ｃｓｇ：１．０’であれば、これは該当アクセスフラグメント内に含まれている接続情報に該当する伝達セッション内に該当サービスガイドに対する追加詳細情報を含んでいるコンプリメンタリサービスガイド（ｃｏｍｐｌｅｍｅｎｔａｒｙ  ＳＧ）が存在することを意味する。
【００６６】
次に、ステップＳ４１０で、端末はＳｅｒｖｉｃｅＣｌａｓｓの下位エレメント値である「ＲｅｆｅｒｒｅｄＳＧＩｎｆｏ」をチェックしてスタンドアローンＳＧ（ｓｔａｎｄ  ａｌｏｎｅ  ＳＧ）及びコンプリメンタリＳＧ（ｃｏｍｐｌｅｍｅｎｔａｒｙ  ＳＧ）に対する事前情報を取得する。事前情報に対する内容は、以下の表７に示す。
【００６７】
【表７】
0005392733.tif 000008
0005392733.tif 000009
0005392733.tif 000010
0005392733.tif 000011
0005392733.tif 000012
0005392733.tif 000013
0005392733.tif 000014
0005392733.tif 000015
0005392733.tif 000016
0005392733.tif 000017
0005392733.tif 000018
0005392733.tif 000019
0005392733.tif 000020
0005392733.tif 000021
0005392733.tif 000022
0005392733.tif 000023
0005392733.tif 000024
0005392733.tif 000025
0005392733.tif 000026
0005392733.tif 000027
0005392733.tif 000028
0005392733.tif 000029
0005392733.tif 000030
0005392733.tif 000031
0005392733.tif 000032
0005392733.tif 000033
【００６８】
最後に、ステップＳ４１１で、端末は、スタンドアローンＳＧ（ｓｔａｎｄ  ａｌｏｎｅ  ＳＧ）あるいはコンプリメンタリＳＧ（ｃｏｍｐｌｅｍｅｎｔａｒｙ  ＳＧ）を受信して該当サービスガイドを構成し、これをユーザに表示する。
【００６９】
本発明と関連してステップＳ４１１の「ＲｅｆｅｒｒｅｄＳＧＩｎｆｏ」に定義されている下位エレメント値は、表７に表すように、‘ＢＳＭＳｅｌｅｃｔｏｒ’、‘ＳｅｒｖｉｃｅＩＤＲｅｆ’、そして‘ＳｅｒｖｉｃｅＧｕｉｄｅＤｅｌｉｖｅｒｙＵｎｉｔ’がある。スタンドアローンＳＧ（ｓｔａｎｄ  ａｌｏｎｅ  ＳＧ）あるいはコンプリメンタリＳＧ（ｃｏｍｐｌｅｍｅｎｔａｒｙ  ＳＧ）に対するその他の事前情報を提供するための情報は、「ＲｅｆｅｒｒｅｄＳＧＩｎｆｏ」の下位エレメント値にして追加的に定義することができる。
【００７０】
「ＲｅｆｅｒｒｅｄＳＧＩｎｆｏ」に定義されている下位エレメント値の各々の使用例について説明すれば、次の通りである。
まず、‘ＢＳＭＳｅｌｅｃｔｏｒ’は、スタンドアローンＳＧあるいはコンプリメンタリＳＧを提供するサービス事業者を特定する。
サービス事業者は、‘ｉｄＲｅｆ’による‘ＢＳＭＳｅｌｅｃｔｏｒ’の識別子（ＩＤ）、又は、ユーザが識別可能な名称（Ｎａｍｅ）によって識別される。
【００７１】
前者の場合、‘ｉｄＲｅｆ’を通じて‘ＢＳＭＳｅｌｅｃｔｏｒ’に対する識別子が提供される場合、基本サービスガイド受信時に使われたＳＧＤＤ内に定義されているＢＳＭＬｉｓｔをチェックし、該当ＢＳＭＬｉｓｔのうち、‘ｉｄＲｅｆ’と一致するＢＳＭＳｅｌｅｃｔｏｒ情報からサービス事業者に該当するＢＳＭコードやユーザが識別可能なサービス事業者名などの情報を取得する。
【００７２】
このような情報は、スタンドアローンＳＧあるいはコンプリメンタリＳＧを受信した後、端末内で該当サービスガイドを事業者別に分類して管理する時、コードあるいは事業者名別に使用することもでき、また、基本サービスガイドで該当事前情報をユーザに見せて、ユーザが選択的にサービスガイドを受信できるようにすることをサポートする。このような情報は、‘ｉｄＲｅｆ’のような識別子の以外に‘ＳＰＮａｍｅ’を通じてユーザが識別可能な名称を直接提供することもできる。
【００７３】
‘ＳｅｒｖｉｃｅＩＤＲｅｆ’は、受信を受けるスタンドアローンＳＧあるいはコンプリメンタリＳＧが基本サービスガイド内のどんなサービスと関連したサービスであるかを示す。‘ＳｅｒｖｉｃｅＩＤＲｅｆ’内にはサービスフラグメントが識別できる識別子が含まれる。したがって、識別子が含まれている場合、基本サービスガイド内で該当識別子と一致するサービスフラグメントを検出して、受信を受けるスタンドアローンＳＧあるいはコンプリメンタリＳＧが検出されたサービスフラグメントと関連されていることを知らせる。
【００７４】
‘ＳｅｒｖｉｃｅＧｕｉｄｅＤｅｌｉｖｅｒｙＵｎｉｔ’は、該当アクセスフラグメントで示されるセッション情報を通じて該当伝達セッションに接続する場合、どんなＳＧＤＵがスタンドアローンＳＧあるいはコンプリメンタリＳＧと関連があるかを示す。サービス事業者はＳＧＤＵリストの提供を通じて基本サービスガイド及びスタンドアローンＳＧあるいはコンプリメンタリＳＧを同一の伝達セッションを通じて提供され、ＳＧＤＵリストに従って、受信、分類、及び管理される。
【００７５】
図７は、本発明の実施形態に係るＢＣＡＳＴサービス提供のためのネットワーク及びＢＣＡＳＴ端末のブロック図である。
図７を参照すると、ＢＣＡＳＴネットワークシステム７１０は、ＢＣＡＳＴサービスを提供するためのシステムであって、図１のコンテンツ供給者１０１、ＢＣＡＳＴサービスアプリケーション１０４、ＢＣＡＳＴサービス分配／適応部１０８、ＢＣＡＳＴ加入管理部１１３の実体を構成要素として含むことができる。ＢＣＡＳＴネットワークシステム７１０は、サービスガイドと関連してサービスガイドソース生成部７１１、サービスガイド生成部７１２、及びサービスガイド送信部７１３を含む。
【００７６】
サービスガイドソース生成部７１１は、図１のＳＧＣＣＳ１０２、ＳＧＡＳ１０５、及びＳＧＳＳ１１４の実体から構成され、サービスガイド生成のためのサービス及びプログラムに対する基本的な情報を提供する。
【００７７】
サービスガイド生成部７１２は、サービスガイドソース生成部７１１からサービスガイド生成のための情報を受信してその情報を用いてサービスガイドを生成する。
サービスガイド生成部７１２は、図１でＳＧ−Ｇ１０９及びＳＧ−Ａ１１１の実体から構成できる。また、サービスガイド生成部７１２は、サービスガイドフラグメントを生成し、フラグメント同士間の相互参照を定義し、本発明では特に、基本サービスガイド及びスタンドアローンまたはコンプリメンタリサービスガイドのためのフラグメント及びフラグメント同士間の相互参照を定義する役目をする。
【００７８】
サービスガイド送信部７１３は、図１のＳＧ−Ｄ１１０の実体から構成され、サービスガイド生成部７１２から生成されたサービスガイドに対する送信を担う。特に、本発明の実施形態において、サービスガイド送信部７１３は、サービスガイド生成部７１２で生成されたフラグメントに対し、基本サービスガイド及びスタンドアローンまたはコンプリメンタリサービスガイドに対する伝達セッションを形成し、形成された伝達セッションに該当フラグメントを送信する役目をする。
【００７９】
放送分配システム（ＢＤＳ）７２０は、放送チャンネルを提供するシステムであって、放送送信システム７２１を含み、放送送信システム７２１には、ＤＶＢのＤＶＢ−Ｈ、３ＧＰＰのＭＢＭＳ、３ＧＰＰ２のＢＣＭＣＳのようなシステムがありうる。
【００８０】
ＢＣＡＳＴ端末機７３０は、図１の端末機１１９に相当するものであって、本発明の実施形態ではサービスガイドを受信して解釈して端末に表示する役目を担う。
ＢＣＡＳＴ端末機７３０は、放送データを受信する放送データ受信部７３１、サービスガイドの受信のためのサービスガイド受信部７３２、受信したサービスガイドに対する解釈を担うサービスガイド解釈部７３３、及び解釈したサービスガイドを表示部７３５に表示するサービスガイド表示部７３４を含む。
【００８１】
サービスガイド受信部７３２、サービスガイド解釈部７３３、及びサービスガイド表示部７３４は、図１でＳＧ−Ｃ１２０に該当する機能を担う。特に、本発明の実施形態において、サービスガイド受信部７３２は、基本サービスガイドを受信し、サービスガイド解釈部７３３で基本サービスガイドに対するフラグメントを解釈し、サービスガイド表示部７３４は、解釈結果を表示部７３５に表示してユーザが確認できるようにする。
【００８２】
ユーザがそのうちの所望のサービスを選択する場合、該当サービスと関連した詳細情報は、基本サービスガイド内の関連したアクセスフラグメントをチェックし、放送データ受信部７３１を経てサービスガイド受信部７３２で該当フラグメントを受信した後、サービスガイド解釈部７３３で解釈して、サービスガイド表示部７３４を通じて表示部７３５に表示するようになる。
【００８３】
尚、本発明は、上述の実施形態に限られるものではない。本発明の技術的範囲から逸脱しない範囲内で多様に変更実施することが可能である。
【符号の説明】
【００８４】
３０１    アナウンスメントセッション
３０２    伝達セッションＸ
３０３    伝達セッションＹ
３０４    伝達セッションＺ
３１０    サービスガイド伝達ディスクリプタ（ＳＧＤＤ）
３１１    基本サービスガイドのためのサービスガイド伝達ユニット（ＳＧＤＵ）
３１２    第１サービスガイドに対するＳＧＤＵ
３１３    第２サービスガイドに対するＳＧＤＵ
３２０    基本サービスガイド
３２１    第１サービスガイド
３２２    第２サービスガイド
７１０    ＢＣＡＳＴネットワークシステム
７１１    サービスガイドソース生成部
７１２    サービスガイド生成部
７１３    サービスガイド送信部
７２０    放送分配システム（ＢＤＳ）
７２１    放送送信システム
７３０    ＢＣＡＳＴ端末機
７３１    放送データ受信部
７３２    サービスガイド受信部
７３３    サービスガイド解釈部
７３４    サービスガイド表示部
７３５    表示部
【図１】
0005392733.tif 000034
【図２】
0005392733.tif 000035
【図３】
0005392733.tif 000036
【図４】
0005392733.tif 000037
【図５】
0005392733.tif 000038
【図６】
0005392733.tif 000039
【図７】
0005392733.tif 000040